(57)【要約】【課題】波のエネルギーを利用して発電する波力発電タービンの効率を向上させること。【解決手段】本発明による波力発電タービンは、円筒風洞内に配置され、円筒風洞と同心軸線上に回転自在に支持された回転軸と、回転軸に固着され、半径方向に向かって延在する複数のタービンブレードを有するロータハブを備え、タービンブレードは、その全長Ｌに対して、ブレード根元から長さ０．７５Ｌ以上の箇所で、厚さが漸次先細り状に形成されたことを特徴とする。【選択図】図２
2015203396.tif 000002
【特許請求の範囲】
【請求項１】
円筒風洞内に配置され、前記円筒風洞と同心軸線上に回転自在に支持された回転軸と、前記回転軸に固着され、半径方向に向かって延在する複数のタービンブレードを有するロータハブとを備え、
前記タービンブレードは、その全長Ｌに対して、ブレード根元から長さ０．７５Ｌ以上の箇所で、厚さが漸次先細り状に形成されたことを特徴とする波力発電タービン。
【発明の詳細な説明】
【技術分野】
【０００１】
本発明は、波浪エネルギーを利用して発電を行う波力発電装置、特に振動水柱形波力発電装置に利用されるタービンに関するものである。
【背景技術】
【０００２】
振動水柱形波力発電装置は、下部が海面に開放され、上部が大気への空気通路を有する外部密閉室からなる空気室と、空気通路内に設けられたタービンと、タービンの回転により発電を行う発電機とから構成される。海面の上下運動により空気室内外の圧力差が生じると、その圧力差によって空気通路内に空気流が発生し、この空気流を利用してタービンを回し、発電が行われるようになっている。
【０００３】
この発電装置は、可動部が波浪エネルギーを直接受けないため、構造上強度の問題が少ないという特徴があり、メインテナンス上も有利であることから、離島などの電力供給源として有望視されている。
【０００４】
従来から、振動水柱形発電装置のタービンとしては、主にウェルズタービンが用いられてきた（特許文献１）。
【０００５】
ウェルズタービンは、零揚力面が回転軸に対して垂直となるように取付けられた複数の対称翼型のタービンブレードを有するロータハブを備え、空気流の流れ方向にかかわらず同一方向に回転するように構成されたタービンである。ウェルズタービンは、往復流に対して一方向に駆動力を発生するため、構造が簡単であるという特徴を有する。
【０００６】
その一方で、ウェルズタービンは、駆動力が揚力に比べて小さく出力トルクが小さいため、起動時間がかかる。また、迎え角の大きい範囲では失速域が存在する。すなわち、海面の上下運動エネルギーから変換された空気流の流量が増加した場合、タービンブレードが失速して、タービントルクの大幅な降下が発生するため、タービン効率が低下するという問題がある。
【０００７】
上記ウェルズタービンの有する課題を解決するために、従来からさまざまな改善策が講じられてきた。
【０００８】
例えば、特許文献２には、タービンブレード２１の上流側および下流側に、タービンブレードから隔てられた案内羽根２２，２３が組み込まれたタービンが開示されている（図７参照）。特許文献２に記載されたタービンでは、案内羽根２２，２３が、タービンブレード流を減少させあるいは消失させるように傾斜させて配設されているため、タービンブレードの失速を低減することができる。しかしながら、特許文献２に開示されたタービンでは、構造が複雑になり、しかも案内羽根２２，２３の形状の最適化など設計上の問題もある。
【０００９】
また、特許文献３には、出力軸３２に２個のロータハブ３３を互いに平行に離間するように固着し、このロータハブ３３の周囲に複数のタービンブレード３１をロータハブ３３の軸線方向に交差する方向で同軸に二列に整列するように配設されており、二列の対称翼型タービンブレード３１を互いに後縁が向かい合うように取付け角度γで対称に配設した対称翼型複葉式ウェルズタービンが開示されている（図８参照）。特許文献３に記載されたタービンでは、タービンブレード３１を互いに後縁が向かい合うように取付けられているため、起動特性および平均効率を向上させることが可能である。しかしながら、特許文献３に記載されたタービンにおいても、構造が複雑になるとともに、取付け角度γの最適化など設計上の問題がある。
【００１０】
さらに、特許文献４には、回転翼４３をその取付け軸周りに同時に回転可能に設け、気体の流速および回転翼４３の回転数に応じて、複数の回転翼４３の軸周りの回動角度を制御する波力発電タービンが開示されている（図９参照）。特許文献４に記載されたタービンによれば、脈動する気体の流速に応じて、タービンの翼を適正な角度に制御できるので、高いタービン効率で運転できる範囲が拡大され、発電効率の向上を図ることができる。しかしながら、特許文献４に記載されたタービンにおいても、気体の往復流を検知する手段や、回転翼４３の回転数を検知する手段が必要となり、構造がさらに複雑になる。しかも、回転翼４３を回動させるための動力源などが必要となり、発電した電力を消費してしまうため、装置全体としての発電効率が低下するという問題もある。
【００１１】
以上の通り、従来の波力発電タービンでは、いずれも構造が複雑になる。特に、離島で設置される波力発電装置では、メンテナンスフリーであることが要求され、構造の複雑化によって故障頻度が高くなることは、極力避けなければならない。
【先行技術文献】
【特許文献】
【００１２】
【特許文献１】特開昭５３−９２０６０号公報
【特許文献２】特開昭５４−５９５３８号公報
【特許文献３】特公平６−８９６４５号公報
【特許文献４】特開平９−２８７５４６号公報
【発明の概要】
【発明が解決しようとする課題】
【００１３】
本発明は、波力発電装置に利用される波力発電タービンにおいて、構造が簡単であるという長所を活かしつつ、タービンブレードの失速を低減して、タービン効率を向上させることを目的とするものである。
【課題を解決するための手段】
【００１４】
上記課題を解決するために、本発明は、円筒風洞内に配置され、円筒風洞と同心軸線上に回転自在に支持された回転軸と、回転軸に固着され、半径方向に向かって延在する複数のタービンブレードを有するロータハブとを備え、タービンブレードは、その全長Ｌに対して、ブレード根元から長さ０．７５Ｌ以上の箇所で、厚さが漸次先細り状に形成されたことを特徴とする。
【発明の効果】
【００１５】
本発明による波力発電タービンは、円筒空洞の内壁と、ブレード先端との間隙を通過する翼端漏れ流れが減少し、翼端漏れ流れにより形成される翼端漏れ渦を減少させることができる。また、タービンブレードの前方を通過した空気流がタービンブレード４の下流側表面から剥離するのを抑制し、タービンブレードの失速を防止することができる。さらに、タービン効率を向上させることができる。
【図面の簡単な説明】
【００１６】
【図１】波力発電タービンの斜視図である。
【図２】本発明に係る波力発電タービンのタービンブレードおよび空気流の流れを示す斜視図である。
【図３】図２のＡ矢視図である。
【図４】従来の波力発電タービンのタービンブレードおよび空気流の流れを示す斜視図である。
【図５】図４のＢ矢視図である。
【図６】従来の波力発電タービンの構成および空気流の流れを示す斜視図である。
【図７】従来技術による固定子羽根を備えた波力発電タービンの構成を示す概略図である。
【図８】従来技術によるタービンブレードを傾けた複葉式タービンの構成を示す概略図である。
【図９】従来技術による回転翼を回動可能とした波力発電タービンの構成を示す概略図である。
【発明を実施するための形態】
【００１７】
本発明の実施の形態を図面に基づいて説明する。図１は、波力発電タービンの斜視図、図２は、本発明に係る波力発電タービンのタービンブレードおよび空気流の流れを示す斜視図、図３は、図２のＡ矢視図、図４は、従来の波力発電タービンのタービンブレードおよび空気流の流れを示す斜視図、図５は、図４のＢ矢視図、図６は、従来の波力発電タービンの構成および空気流の流れを示す斜視図である。
【００１８】
図1において、１は、空気室（図示せず）と外気との間で空気が出入りするための円筒風洞（空気通路）、２は、ロータハブ、３は、円筒風洞１内に回転自在に支持されるとともにロータハブ２に固着された回転軸、４は、ロータハブ３から半径方向に延在する対称翼型のタービンブレード、５は、回転軸３に連結され発電機であり、６は、円筒風洞１内に発生する空気流（往復流）、７は、波力発電タービンの回転方向を示している。
【００１９】
海面の上下運動により、空気室（図示せず）の内外で圧力差が生じると、その圧力差によって、円筒風洞１内に空気流６が発生する。空気流６により、タービンブレード４が回転方向７の方向に回転し、さらにロータハブ２、回転軸３が回転することにより、発電機５にて発電が行われるようになっている。
【００２０】
本発明者らは、タービンブレードが失速するメカニズムを解明するために、従来の波力発電タービンについて空気流の流れ場の解析を行った。その結果を図４〜６に基づいて説明する。
【００２１】
図４は、従来の波力発電タービンにおけるタービンブレードまわりの空気流の流れを、図６は、従来の波力発電タービンまわり空気流の流れを、それぞれ解析した結果をそれぞれ示しており、図５は、図４のＢ矢視図である。
【００２２】
図４〜図６から明らかなように、円筒風洞１（図１参照）の内壁と、ブレード先端１１との間隙を通過した翼端漏れ流れ１２により、ブレード先端１１の下流側で翼端漏れ渦１３が形成されている。一方、タービンブレード４の前方を通過した空気流は、翼端漏れ渦１３により、タービンブレード４の下流側表面から剥離して、前端失速流れ１５が形成されている。
【００２３】
この解析結果から、翼端漏れ渦１３は、タービンブレード４の失速を助長することがわかった。すなわち、翼端漏れ渦１３を低減することによって、タービンブレード４の失速を防止することができる。
【００２４】
翼漏れ渦１３を低減するためには、円筒空洞の内壁と、ブレード先端１１との間隙を狭くすることが考えられる。しかしながら、波力発電タービンの構造上、円筒空洞１の内壁と、ブレード先端１１との間には一定の間隙を設けることが必要であって、この方法では、所望の効果は期待できない。
【実施例】
【００２５】
本発明は、円筒空洞の内壁と、ブレード先端１１との間に一定の間隙を設けつつ、翼漏れ渦１３を低減するものであり、本発明に係る波力発電タービンの一実施例を図２、図３を参照しつつ説明する。
【００２６】
図２、図３に示すように、本発明による波力発電タービンは、長さＬのタービンブレード４が、ブレード根元から０．８６Ｌの箇所を境にして、ブレード先端８まで、滑らかな局面状に形成された先細り形状となっている。円筒空洞１（図１参照）の内壁の近傍を流れてきた空気流は、ブレード先端８が先細り形状となっているため、ブレード先端８の上流側でコーナー渦９が形成される。ブレード先端８の上流側で形成されたコーナー渦９により、円筒空洞１の内壁と、ブレード先端１１との間隙を通過する翼端漏れ流れ１２が大幅に減少する。翼端漏れ流れ１２の減少に伴い翼端漏れ渦１３も減少するため、タービンブレード４の下流側表面から空気流の剥離が抑制され、タービンブレード４の失速範囲を減少させることができる。
【００２７】
本実施の形態では、ブレード先端８が、曲面状に形成されているが、このような形状に限定されるものではない。すなわち、ブレード先端８の上流側でコーナー渦９が形成される形状であればよいのであって、必ずしも曲面状に形成する必要はない。例えば、ブレード先端８を、直線状の先細り形状や、複数の段差を設け段階的に先細り形状としてもよい。
【産業上の利用可能性】
【００２８】
本発明は、波力発電装置に用いられる波力発電タービンに利用することができる。
【符号の説明】
【００２９】
１    円筒風洞
２    ロータハブ
３    回転軸
４    対称翼型タービンブレード
５    発電機
６    空気流（往復流）
７    回転方向
８    ブレード先端
９    ブレード先端漏れ渦流
１０  ブレード前端失速流れ
１１  ブレード先端
１２  翼端漏れ流れ
１３  翼端漏れ渦
１４  ブレード前縁失速
１５  前縁失速流れ
【図１】
2015203396.tif 000003
【図２】
2015203396.tif 000004
【図３】
2015203396.tif 000005
【図４】
2015203396.tif 000006
【図５】
2015203396.tif 000007
【図６】
2015203396.tif 000008
【図７】
2015203396.tif 000009
【図８】
2015203396.tif 000010
【図９】
2015203396.tif 000011